(57)【要約】【課題】測定装置内の電線が混雑ではないため、電線が摩擦されて破損することは発生せず、放熱がされやすくなる電流プローブを提供する。【解決手段】基板に固定することが可能であり、基板に固定するためのものであり、スライド空間を有する導電スリーブと、導電スリーブと電気的に接続する第１電気接続ポートと、スライド空間に配されている少なくとも一つの導電弾性片と、少なくとも一つのプローブユニットと、を備え、プローブユニットは、導電スリーブにスライド可能に挿通されており、少なくとも一つの導電弾性片と電気的に接続し、少なくとも一つの導電弾性片と導電スリーブとを介して、第１電気接続ポートと電気的に接続する第１針軸と、第１針軸と電気的に接続する第１プローブと、を備える。【選択図】図２
2019109235.tif 000002
【特許請求の範囲】
【請求項１】
基板に固定することが可能であり、
前記基板に固定するためのものであり、スライド空間を有する導電スリーブと、
前記導電スリーブと電気的に接続する第１電気接続ポートと、
前記スライド空間に配されている少なくとも一つの導電弾性片と、
少なくとも一つのプローブユニットと、
を備え、
前記プローブユニットは、
前記導電スリーブにスライド可能に挿通されており、前記少なくとも一つの導電弾性片と電気的に接続し、前記少なくとも一つの導電弾性片と前記導電スリーブとを介して、前記第１電気接続ポートと電気的に接続する第１針軸と、
前記第１針軸と電気的に接続する第１プローブと、
を備えることを特徴とする電流プローブ。
【請求項２】
前記少なくとも一つの導電弾性片は二つあり、前記スライド空間は、更に、二つの組付空間を有し、前記二つの組付空間は、前記スライド空間の裏壁面に設けられており、前記二つの導電弾性片は、それぞれ前記二つの組付空間に位置することを特徴とする、請求項１に記載の電流プローブ。
【請求項３】
更に、第１固定部材を備え、前記導電スリーブは、柱部と、凸縁部と、を備え、前記凸縁部は、前記柱部の径方向に沿って前記柱部から突出し、前記柱部は、前記基板を挿通し、一部が前記基板から突出し、前記凸縁部が前記基板に当接し、前記第１固定部材は、前記柱部を嵌め、前記基板の前記凸縁部から遠く離れた一方の側に当接し、前記スライド空間は前記柱部を貫通することを特徴とする、請求項１または２に記載の電流プローブ。
【請求項４】
更に、第２固定部材を備え、前記第１電気接続ポートは、前記柱部を嵌め、前記第１固定部材に当接し、前記第２固定部材は前記柱部を嵌め、前記第１電気接続ポートは、前記第１固定部材及び前記第２固定部材に挟まれることを特徴とする、請求項３に記載の電流プローブ。
【請求項５】
前記少なくとも一つのプローブユニットは、更に、弾性部材を備え、前記第１針軸は、前記柱部の径方向に沿って突出する突起を有し、前記第１針軸は前記弾性部材を挿通し、前記弾性部材の両端は、前記突起と前記導電スリーブとにそれぞれ押し付けることを特徴とする、請求項３または４に記載の電流プローブ。
【請求項６】
前記少なくとも一つのプローブユニットは、更に、第２針軸と、第２プローブと、を備え、前記第２針軸は、前記第１針軸を挿通し、前記第１針軸と電気的に絶縁し、前記第２針軸は、差込ヘッドと、軸本体と、第２電気接続ポートと、を備え、前記差込ヘッドと前記第２電気接続ポートとは、それぞれ前記軸本体の両端と接続し、前記第２プローブは、前記差込ヘッドに差し込まれており、前記差込ヘッドと電気的に接続し、前記第２プローブは、前記軸本体を介して前記第２電気接続ポートと電気的に接続することを特徴とする、請求項１から５のいずれか一項に記載の電流プローブ。
【請求項７】
前記少なくとも一つのプローブユニットは、更に、第１絶縁部材を備え、前記第１針軸は、更に、前記導電スリーブの軸方向に沿って貫通する穿孔を有し、前記穿孔は、第１空間部と、第２空間部と、第１止め部と、を備え、前記第１空間部は前記第２空間部と連通し、前記第１止め部は、前記第１空間部と前記第２空間部との間に位置し、前記第１絶縁部材は前記第１空間部内に設けられており、前記差込ヘッドの幅は、前記第１絶縁部材の内径より大きく、前記軸本体は前記第１絶縁部材を挿通し、前記差込ヘッドと前記第１止め部とは、それぞれ前記第１絶縁部材の両側に当接し、前記第１絶縁部材は、前記軸本体及び前記第１針軸に挟まれることを特徴とする、請求項６に記載の電流プローブ。
【請求項８】
前記少なくとも一つのプローブユニットは、更に、第２絶縁部材と、固定リングと、を備え、前記穿孔は、更に、第３空間部と、第２止め部と、を備え、前記第３空間部は、前記第２空間部の前記第１空間部から遠く離れた一方の側と連通し、前記第２止め部は、前記第２空間部と前記第３空間部との間に位置し、前記第２絶縁部材は前記第３空間部に設けられており、前記軸本体は、環状溝を備え、前記第２絶縁部材を挿通し、前記固定リングは前記環状溝を係止し、前記固定リングと前記第２止め部とは、それぞれ前記第２絶縁部材の両側に当接し、前記第２絶縁部材は、前記軸本体及び前記第１針軸に挟まれることを特徴とする、請求項７に記載の電流プローブ。
【請求項９】
前記少なくとも一つのプローブユニットは、更に、止めリングを備え、前記差込ヘッドは、複数のグルービングと、プローブスロットと、を備え、これらの前記複数のグルービングは、前記プローブスロットを囲み、前記差込ヘッドを複数の挟み片に分け、前記止めリングはこれらの前記複数の挟み片を係止し、前記第２プローブは前記プローブスロットに差し込まれていることを特徴とする、請求項６に記載の電流プローブ。
【請求項１０】
前記少なくとも一つのプローブユニットは複数個あることを特徴とする、請求項１から９のいずれか一項に記載の電流プローブ。
【発明の詳細な説明】
【技術分野】
【０００１】
本発明は、電流プローブに関し、特に、導電スリーブを備える電流プローブに関するものである。
【背景技術】
【０００２】
目下、電気抵抗値または電圧値などの電気的特性を測定するための機器（特に、大電流（例えば数十アンペアから数百アンペア）を利用する測定機器）は、開発されて市販している。製品を販売する前に、メーカーは、測定機器を利用して、複数のプローブセットに対して多点の電気的テストを行うことにより、製品の良品率及び信頼度を確認する。一般的には、測定機器のプローブセットは、板に固定されており、駆動端と、センシング端と、を備え、駆動端及びセンシング端がそれぞれ電線と接続する。プローブセットが測定対象物に接触したと、大電流が駆動端を経由して測定対象物に流して、センシング端により、この測定対象物を流す電流をリターンする。これにより、この測定対象物の電気的特性をテストする。
【０００３】
駆動端と接続する電線は大電流を出力する箇所なため、電線が太い。これにより、複数のプローブセットを有する測定装置の配線は混雑なため、プローブセットが測定対象物に接触してスライドするときに、測定装置内に位置する電線が一緒に移動して、電線同士が互いに摩擦し、又は複数の電線が測定装置の構造と摩擦して破損することにより、電流が短絡状態になって測定装置が無効となる。一方、測定装置の内部空間に太い電線が複数本配されているため、大電流が電線を流すときに発生する熱は放熱しにくい。
【発明の概要】
【発明が解決しようとする課題】
【０００４】
本発明の主な目的は、測定装置内の電線が混雑ではないため、電線が摩擦されて破損することは発生せず、放熱がされやすくなる電流プローブを提供することにある。
【課題を解決するための手段】
【０００５】
本発明の電流プローブによると、基板に固定することが可能であり、基板に固定するためのものであり、スライド空間を有する導電スリーブと、導電スリーブと電気的に接続する第１電気接続ポートと、スライド空間に配されている少なくとも一つの導電弾性片と、少なくとも一つのプローブユニットと、を備え、プローブユニットは、導電スリーブにスライド可能に挿通されており、少なくとも一つの導電弾性片と電気的に接続し、少なくとも一つの導電弾性片と導電スリーブとを介して、第１電気接続ポートと電気的に接続する第１針軸と、第１針軸と電気的に接続する第１プローブと、を備えることを特徴とする。
【０００６】
本発明の電流プローブによると、少なくとも一つの導電弾性片は二つあり、スライド空間は、更に、二つの組付空間を有し、二つの組付空間は、スライド空間の裏壁面に設けられており、二つの導電弾性片は、それぞれ二つの組付空間に位置することを特徴とする。
【０００７】
本発明の電流プローブによると、更に、第１固定部材を備え、導電スリーブは、柱部と、凸縁部と、を備え、凸縁部は、柱部の径方向に沿って柱部から突出し、柱部は、基板を挿通し、一部が基板から突出し、凸縁部が基板に当接し、第１固定部材は、柱部を嵌め、基板の凸縁部から遠く離れた一方の側に当接し、スライド空間は柱部を貫通することを特徴とする。
【０００８】
本発明の電流プローブによると、更に、第２固定部材を備え、第１電気接続ポートは、柱部を嵌め、第１固定部材に当接し、第２固定部材は柱部を嵌め、第１電気接続ポートは、第１固定部材及び第２固定部材に挟まれることを特徴とする。
【０００９】
本発明の電流プローブによると、少なくとも一つのプローブユニットは、更に、弾性部材を備え、第１針軸は、柱部の径方向に沿って突出する突起を有し、第１針軸は弾性部材を挿通し、弾性部材の両端は、突起と導電スリーブとにそれぞれ押し付けることを特徴とする。
【００１０】
本発明の電流プローブによると、少なくとも一つのプローブユニットは、更に、第２針軸と、第２プローブと、を備え、第２針軸は、第１針軸を挿通し、第１針軸と電気的に絶縁し、第２針軸は、差込ヘッドと、軸本体と、第２電気接続ポートと、を備え、差込ヘッドと第２電気接続ポートとは、それぞれ軸本体の両端と接続し、第２プローブは、差込ヘッドに差し込まれており、差込ヘッドと電気的に接続し、第２プローブは、軸本体を介して第２電気接続ポートと電気的に接続することを特徴とする。
【００１１】
本発明の電流プローブによると、少なくとも一つのプローブユニットは、更に、第１絶縁部材を備え、第１針軸は、更に、導電スリーブの軸方向に沿って貫通する穿孔を有し、穿孔は、第１空間部と、第２空間部と、第１止め部と、を備え、第１空間部は第２空間部と連通し、第１止め部は、第１空間部と第２空間部との間に位置し、第１絶縁部材は第１空間部内に設けられており、差込ヘッドの幅は、第１絶縁部材の内径より大きく、軸本体は第１絶縁部材を挿通し、差込ヘッドと第１止め部とは、それぞれ第１絶縁部材の両側に当接し、第１絶縁部材は、軸本体及び第１針軸に挟まれることを特徴とする。
【００１２】
本発明の電流プローブによると、少なくとも一つのプローブユニットは、更に、第２絶縁部材と、固定リングと、を備え、穿孔は、更に、第３空間部と、第２止め部と、を備え、第３空間部は、第２空間部の第１空間部から遠く離れた一方の側と連通し、第２止め部は、第２空間部と第３空間部との間に位置し、第２絶縁部材は第３空間部に設けられており、軸本体は、環状溝を備え、第２絶縁部材を挿通し、固定リングは環状溝を係止し、固定リングと第２止め部とは、それぞれ第２絶縁部材の両側に当接し、第２絶縁部材は、軸本体及び第１針軸に挟まれることを特徴とする。
【００１３】
本発明の電流プローブによると、少なくとも一つのプローブユニットは、更に、止めリングを備え、差込ヘッドは、複数のグルービングと、プローブスロットと、を備え、これらの複数のグルービングは、プローブスロットを囲み、差込ヘッドを複数の挟み片に分け、止めリングはこれらの複数の挟み片を係止し、第２プローブはプローブスロットに差し込まれていることを特徴とする。
【００１４】
本発明の電流プローブによると、少なくとも一つのプローブユニットは複数個あることを特徴とする。
【発明の効果】
【００１５】
本発明の電流プローブによれば、次のような効果がある。
【００１６】
（１）基板に固定されている導電スリーブと導電スリーブに固定されている第１電気接続ポートとによって、従来のプローブセットにおける、プローブセットの移動と共に移動する大電流を流すことが可能な電線を取り替えることにより、電流プローブがスライドするが、導電スリーブと第１電気接続ポートとが移動しないため、電流プローブを有する測定装置の内部の電線が摩擦する確率を減少することが可能である。
【００１７】
（２）大電流を流すための電線が取り替わられたため、電流プローブを有する測定装置の内部の空間が広くなり、電流プローブを有する測定装置の放熱能力が増加する。
【００１８】
（３）二つの導電弾性片の環状を呈する細かい金属構造と第１針軸の多点接触により、導電スリーブと第１針軸との間のクロス電圧を大幅に減少することが可能であり、導電スリーブから第１針軸に流す大電流の流しは順調となる。
【００１９】
（４）測定装置に電流プローブを組付ける過程中には、導電スリーブ、第１電気接続ポート及びプローブユニットを、それぞれ予めに組み立てて、測定装置に組付けるため、測定装置に電流プローブを組付ける作業の便利性は大幅に増加する。
【００２０】
（５）第２電気接続ポートにバインディングポストを差し込むことにより、第２針軸と電線の連接箇所の面積が増大するため、第２電気接続ポート６５３に電線を安定的に固定することが可能である。また、プローブユニットを取り換える過程中には、電線と第２プローブを分離するだけで、プローブユニットを交換することが可能なため、プローブユニットの交換作業は便利となる。また、第２プローブだけを交換することが必要な場合には、プローブスロットから第２プローブを直接に引き出すだけで、交換することが可能である。
【図面の簡単な説明】
【００２１】
【図１】本発明の実施の形態１に係る複数の電流プローブが基板に組み付けられている状態を示す斜視図である。
【図２】本発明の実施の形態１に係る電流プローブを示す斜視図である。
【図３】本発明の実施の形態１に係る電流プローブを示す分解斜視図である。
【図４】本発明の実施の形態１に係る電流プローブの一部を示す分解斜視図である。
【図５】本発明の実施の形態１に係る電流プローブの組合済み状態を示す断面図である。
【図６】本発明の実施の形態２に係る電流プローブにおける複数のプローブユニットが導電スリーブを挿通した状態を示す斜視図である。
【図７】本発明の実施の形態３に係る電流プローブにおける複数のプローブユニットが導電スリーブを挿通した状態を示す斜視図である。
【発明を実施するための形態】
【００２２】
以下、本発明の実施の形態を図面に基づいて説明する。
【００２３】
図１を参照する。図１は本発明の実施の形態１に係る複数の電流プローブが基板に組付けられている状態を示す斜視図である。
【００２４】
本実施の形態に係る電流プローブ１０は、基板１１に固定することが可能である。基板１１は、例えば測定装置に組付けられており、絶縁体である。基板１１には、図１に示すように、複数の電流プローブ１０が設けられていることが一般的である。これにより、測定対象物に対して多点の測定を行うことが可能である。電流プローブ１０は、例えば大電流 （例えば数十アンペアから数百アンペア）により、測定対象物の電気的特性を測定する。電気的特性は、例えば電気抵抗値または電圧値などの特性である。以下、電流プローブ１０のうちの一つを例にして説明する。
【００２５】
図２から図５を参照する。図２は、図１における電流プローブのうちの一つを示す斜視図である。図３は図２の分解斜視図である。図４は図３の一部を示す分解斜視図である。図５は図２の断面図である。
【００２６】
電流プローブ１０は、導電スリーブ１００と、第１固定部材２００と、第１電気接続ポート３００と、第２固定部材４００と、二つの導電弾性片５００と、プローブユニット６００と、を備える。
【００２７】
導電スリーブ１００は、柱部１１０と、凸縁部１２０と、を備える。凸縁部１２０は、柱部１１０の径方向に沿って柱部１１０から突出する。柱部１１０は、基板１１を挿通し、一部が基板１１から突出する。これにより、凸縁部１２０は基板１１に当接する。第１固定部材２００は、柱部１１０を嵌め、基板１１の凸縁部１２０から遠く離れた一方の側に当接することにより、導電スリーブ１００を基板１１に固定することが可能である。第１電気接続ポート３００は、柱部１１０を嵌め、第１固定部材２００に当接することにより、第１電気接続ポート３００が導電スリーブ１００と電気的に接続する。第２固定部材４００は柱部１１０を嵌めることにより、第１電気接続ポート３００が第１固定部材２００及び第２固定部材４００に挟まれる。
【００２８】
導電スリーブ１００の柱部１１０は、スライド空間１１１を備える。スライド空間１１１は、導電スリーブ１００の軸方向に沿って導電スリーブ１００を貫通し、二つの組付空間１１１ａを備える。二つの組付空間１１１ａは、スライド空間１１１の裏壁面１１１ｂから凹んで形成される。二つの導電弾性片５００は、それぞれ二つの組付空間１１１ａ内に設けられている。導電弾性片５００は、例えば両側がより広くて中央がより狭い締付スリーブであり、その中央部は、複数本の細かい金属構造をフェンスのように形成して構成される。
【００２９】
プローブユニット６００は、図２から図５に示すように、第１針軸６１０と、弾性部材６２０と、第１絶縁部材６３０と、第２絶縁部材６４０と、第２針軸６５０と、固定リング６６０と、止めリング６７０と、第１プローブ６８０と、第２プローブ６９０と、を備える。
【００３０】
第１針軸６１０は、柱部１１０の径方向に沿って突出する突起６１１を備える。第１針軸６１０は、弾性部材６２０を挿通し、柱部１１０のスライド空間１１１をスライド可能に挿通する。これにより、弾性部材６２０の両端は、それぞれ突起６１１及び導電スリーブ１００に当接し、二つの導電弾性片５００は、第１針軸６１０を挟み、第１針軸６１０と電気的に接触する。第１針軸６１０は、第１針軸６１０と二つの導電弾性片５００との間の電気的な接触を介して、導電スリーブ１００と電気的に接続する。
【００３１】
第１針軸６１０は、更に、柱部１１０の軸方向に沿って柱部１１０を貫通する穿孔６１２を備える。穿孔６１２は、第１空間部６１２ａと、第２空間部６１２ｂと、第３空間部６１２ｃと、第１止め部６１２ｄと、第２止め部６１２ｅと、を備える。第１空間部６１２ａと第３空間部６１２ｃとは、それぞれ第２空間部６１２ｂの両端と連接し、第２空間部６１２ｂと連通する。第１止め部６１２ｄは、第１空間部６１２ａと第２空間部６１２ｂとの間に位置する。第２止め部６１２ｅは、第２空間部６１２ｂと第３空間部６１２ｃとの間に位置する。第１絶縁部材６３０と第２絶縁部材６４０とは、それぞれ第１空間部６１２ａ及び第３空間部６１２ｃに設けられている。
【００３２】
第２針軸６５０は、差込ヘッド６５１と、軸本体６５２と、第２電気接続ポート６５３と、を備える。差込ヘッド６５１と第２電気接続ポート６５３とは、それぞれ軸本体６５２の両端と連接する。差込ヘッド６５１の幅Ｄ１は、第１絶縁部材６３０の内径Ｒ１より大きい。軸本体６５２は第１絶縁部材６３０を挿通する。これにより、差込ヘッド６５１と第１止め部６１２ｄとは、それぞれ第１絶縁部材６３０の両側に当接し、第１絶縁部材６３０が軸本体６５２及び第１針軸６１０に挟まれる。軸本体６５２は環状溝６５２ａを備える。軸本体６５２は第２絶縁部材６４０を挿通する。固定リング６６０は環状溝６５２ａを係止することにより、固定リング６６０と第２止め部６１２ｅとは、それぞれ第２絶縁部材６４０の両側に当接し、第２絶縁部材６４０が軸本体６５２及び第１針軸６１０に挟まれる。
【００３３】
本実施の形態では、第２針軸６５０は、第１絶縁部材６３０及び第２絶縁部材６４０を介して、第１針軸６１０と電気的に絶縁する。これにより、電流は、第２針軸６５０を流すときに、第１針軸６１０に流すことによる測定の誤差を無くすことを確保することが可能である。一方、第２電気接続ポート６５３は、例えば外径が４ｍｍで内径が２ｍｍである溝構造なため、バインディングポストを、２ｍｍの溝に差し込み、又は４ｍｍの外縁に直接に嵌めることが可能である。これにより、第２針軸６５０と電線の連接箇所の面積が増大し、第２電気接続ポート６５３に電線を安定的に固定することが可能である。
【００３４】
第２針軸６５０の差込ヘッド６５１は、四つのグルービング６５１ａと、プローブスロット６５１ｂと、を備える。四つのグルービング６５１ａは、プローブスロット６５１ｂを囲み、差込ヘッド６５１を四つの挟み片６５１ｃに分ける。各挟み片６５１ｃは溝６５１１ｃを備える。止めリング６７０は、各挟み片６５１ｃの溝６５１１ｃを係止する。第１プローブ６８０は、第１針軸６１０の突起６１１に近接する一端に設けられており、第１針軸６１０と電気的に接続する。本実施の形態では、第２プローブ６９０は、例えば１１番のプローブであり、プローブスロット６５１ｂに差し込まれる。これにより、第２プローブ６９０は、プローブスロット６５１ｂ内に固定されており、第２電気接続ポート６５３と電気的に接続する。第１プローブ６８０は複数の導電端子６８１を有する。これらの導電端子６８１は第２プローブ６９０を囲む。
【００３５】
本実施の形態では、四つのグルービング６５１ａにより、第２針軸６５０の差込ヘッド６５１が四つの挟み片６５１ｃに分けられるが、本発明はこれらに限定されない。もちろん、グルービングの数量を増減してもよい。これにより、挟み片の数量を調整することが可能である。例えば、グルービングが二つある場合には、差込ヘッドを二つの挟み片に分けることができる。
【００３６】
一方、止めリング６７０は各挟み片６５１ｃの溝６５１１ｃを係止するが、本発明はこれらに限定されない。もちろん、各挟み片の表面に溝が設けられておらず、止めリングが四つの挟み片を直接に締めてもよい。
【００３７】
また、第２プローブ６９０の固定は、止めリング６７０を介して四つの挟み片６５１ｃを締めることによって達成するが、本発明はこれらに限定されない。もちろん、止めリングを設けず、四つの挟み片により、第２プローブを挟む力を提供してもよい。
【００３８】
本実施の形態に係る電流プローブ１０において、大電流（例えば１２０アンペア）は、第１電気接続ポート３００を経由して、第１電気接続ポート３００と接続する導電スリーブ１００に流して、二つの導電弾性片５００が第１針軸６１０と電気的に接触するため、第１針軸６１０に設けられている第１プローブ６８０に伝導される。第１プローブ６８０を測定対象物に接触することにより、大電流は、測定対象物に流した後、第２プローブ６９０から第２電気接続ポート６５３に伝導して、電流プローブ１０を有する装置がリターンする電流を接収して分析すると、測定対象物の電気的特性を知ることが可能である。
【００３９】
上記の大電流を流す過程中に、大電流は、導電スリーブ１００から第１針軸６１０に流して、二つの導電弾性片５００の環状を呈する細い金属構造と第１針軸６１０の多点接触により、導電スリーブ１００と第１針軸６１０との間のクロス電圧が大幅に減少されて、大電流が導電スリーブ１００から第１針軸６１０に流す。一方、本実施の形態では、導電弾性片５００が二つあるが、本発明はこれらに限定されない。もちろん、導電弾性片は、流す大電流のアンペア数によって数量を調整してもよい。すなわち、導電弾性片の数量は、耐えられる電流に正比例する。
【００４０】
本実施の形態に係る電流プローブ１０を測定装置に組付ける過程中には、導電スリーブ１００、第１電気接続ポート３００及びプローブユニット６００を、それぞれ予めに組み立てて、測定装置に組付けてもよい。詳細的には、導電スリーブ１００と第１電気接続ポート３００とを、測定装置に組付けられている基板１１に取り付けて、組み立てられたプローブユニット６００を導電スリーブ１００に直接に組付けてもよい。これにより、測定装置に電流プローブ１０を組付けるときには、電流プローブ１０全体を組み立てて測定装置に取り付けることが必要なくなるため、電流プローブ１０の組付作業の便利性が増加する。
【００４１】
一方、プローブユニット６００を取り換える過程中に、電流プローブ１０は、第２電気接続ポート６５３がバインディングポストだけを介して電線と接続し、プローブユニット６００から電線を分離するだけで、プローブユニット６００からバインディングポストを抜き出すことが可能なため、従来のプローブセットの電線がプローブセットに溶接された設計に比べて、プローブユニットの取り換えは便利となる。また、第２プローブ６９０だけを交換する場合には、プローブスロット６５１ｂから第２プローブ６９０を引き出すだけで、取り換えることが可能である。
【００４２】
上記の実施の形態に係る電流プローブ１０において、プローブユニット６００は導電スリーブ１００を挿通するが、本発明はこれらに限定されない。図６及び図７を参照する。図６は、本発明の実施の形態２に係る電流プローブにおける複数のプローブユニットが導電スリーブを挿通した状態を示す斜視図である。図６に示すように、導電スリーブ７００に複数のプローブユニット８００が挿通されており、これらのプローブユニット８００は鉛直姿勢で配列されている。図７は、本発明の実施の形態３に係る電流プローブにおける複数のプローブユニットが導電スリーブを挿通した状態を示す斜視図である。図７に示すように、導電スリーブ９００に複数のプローブユニット９５０が挿通されており、これらのプローブユニット９５０は環状に配列されている。
【００４３】
上記の実施の形態に係る電流プローブによれば、基板に固定されている導電スリーブと導電スリーブに固定されている第１電気接続ポートとにより、従来のプローブセットにおける、プローブセットの移動と共に移動する大電流を流し可能な電線を取り替わることにより、電流プローブがスライドするが、導電スリーブと第１電気接続ポートとが移動しないため、電流プローブを有する測定装置の内部の電線が摩擦する確率を減少することが可能である。
【００４４】
一方、大電流を流すための電線が取り替わられたため、電流プローブを有する測定装置の内部の空間が広くなり、電流プローブを有する測定装置の放熱能力が増加する。
【００４５】
一方、二つの導電弾性片の環状を呈する細かい金属構造と第１針軸の多点接触により、導電スリーブと第１針軸との間のクロス電圧を大幅に減少することが可能であり、導電スリーブから第１針軸に流す大電流の流しは順調となる。
【００４６】
また、測定装置に電流プローブを組付ける過程中には、導電スリーブ、第１電気接続ポート及びプローブユニットを、それぞれ予めに組み立てて、測定装置に組付けるため、測定装置に電流プローブを組付ける作業の便利性は大幅に増加する。
【００４７】
第２電気接続ポートにバインディングポストを差し込むことにより、第２針軸と電線の連接箇所の面積が増大するため、第２電気接続ポート６５３に電線を安定的に固定することが可能である。一方、プローブユニットを取り換える過程中には、電線と第２プローブを分離するだけで、プローブユニットを交換することが可能なため、プローブユニットの交換作業は便利となる。また、第２プローブだけを交換することが必要な場合には、プローブスロットから第２プローブを直接に引き出すだけで、交換することが可能である。
【００４８】
このように、本発明の特定の例を参照して説明したが、それらの例は、説明のためだけのものであり、本発明を限定するものではなく、この分野に通常の知識を有する者には、本発明の要旨および特許請求の範囲を逸脱することなく、ここで開示された実施例に変更、追加、または、削除を施してもよいことがわかる。
【符号の説明】
【００４９】
１０  電流プローブ
１１  基板
１００，７００，９００  導電スリーブ
１１０  柱部
１１１  スライド空間
１１１ａ  組付空間
１１１ｂ  裏壁面
１２０  凸縁部
２００  第１固定部材
３００  第１電気接続ポート
４００  第２固定部材
５００  導電弾性片
６００，８００，９５０  プローブユニット
６１０  第１針軸
６１１  突起
６１２  穿孔
６１２ａ  第１空間部
６１２ｂ  第２空間部
６１２ｃ  第３空間部
６１２ｄ  第１止め部
６１２ｅ  第２止め部
６２０  弾性部材
６３０  第１絶縁部材
６４０  第２絶縁部材
６５０  第２針軸
６５１  差込ヘッド
６５１ａ  グルービング
６５１ｂ  プローブスロット
６５１ｃ  挟み片
６５１１ｃ  溝
６５２  軸本体
６５２ａ  環状溝
６５３  第２電気接続ポート
６６０  固定リング
６７０  止めリング
６８０  第１プローブ
６８１  導電端子
６９０  第２プローブ
Ｄ１  幅
Ｒ１  内径
【図１】
2019109235.tif 000003
【図２】
2019109235.tif 000004
【図３】
2019109235.tif 000005
【図４】
2019109235.tif 000006
【図５】
2019109235.tif 000007
【図６】
2019109235.tif 000008
【図７】
2019109235.tif 000009